(57)【特許請求の範囲】
【請求項１】
筒状のハウジングを有し、該ハウジングの一端部は光コネクタをハウジングの筒穴方向に沿って挿入する光コネクタの挿入口と成しているアダプタであって、
前記ハウジングの底部外壁に沿って設けられる底板と該底板から前記光コネクタ挿入口側に立ち上がって前記ハウジング側の他端部側から光コネクタ挿入口側に向けて送信される光を遮断する立ち上がり部とを備えた略Ｌ字形状のシャッター板と、
前記ハウジングの底部外壁に沿って設けられる底部板と該底部板からハウジングの両側部壁に沿って立ちあがる側部板とを備えた支持板を有し、
前記ハウジングの底部外壁には前記シャッター板の前記底板と前記支持板の前記底部板とを嵌合する底部溝が形成され、
前記ハウジングの前記両側壁外壁には前記支持板の前記側部板を嵌合する支持板嵌合溝が形成され、
前記シャッター板は弾性部材により形成され、
前記シャッター板の底板が前記底部溝内で前記ハウジングの底部外壁と前記支持板の底部板との間に挟まれ、かつ、前記支持板の前記側部板が前記ハウジングの両側部外壁を狭着するように前記支持板嵌合溝に嵌合固定されることにより前記シャッター板が前記ハウジングに固定されており、
前記光コネクタのアダプタへの挿入嵌合時には前記シャッター板の立ち上がり部が光コネクタ挿入によって前記ハウジングの底部内壁側に折り曲げられて前記光の光コネクタへの入射を可能とし、かつ、前記光コネクタのアダプタへの非嵌合時には前記シャッター板の立ち上がり部が弾性復元力によって前記光コネクタ挿入口側に立ちあがって前記光を遮断する構成としたこと
を特徴とする遮光シャッター付きアダプタ。
【請求項２】
光コネクタの挿入方向をガイドする挿入ガイド部を備えたガイド部材が、その先端側をハウジングの光コネクタ挿入口及び前記シャッター板よりも先方に突出してハウジングに装着されていることを特徴とする請求項１記載の遮光シャッター付きアダプタ。
【請求項３】
ハウジングの底部には該ハウジングの筒穴方向途中部にシャッター板挿通孔が形成されており、
シャッター板の立ち上がり部は前記シャッター板挿通孔からハウジングの筒穴内に立ち上がる構成と成しており、
光コネクタ挿入口から前記シャッター板挿通孔の形成部に至るハウジングの筒穴が光コネクタの挿入方向をガイドする挿入ガイド部と成していること
を特徴とする請求項１記載の遮光シャッター付きアダプタ。
【請求項４】
支持板の底部板に十字型の部分が形成され、該十字型の部分が前記底部溝に係止されていることを特徴とする請求項１乃至請求項３のいずれか一つに記載の遮光シャッター付きアダプタ。
【請求項５】
筒状のハウジングを有し、該ハウジングの一端部は光コネクタをハウジングの筒穴方向に沿って挿入する光コネクタの挿入口と成している光モジュールレセプタクルであって、
前記ハウジングの底部外壁に沿って設けられる底板と該底板から前記光コネクタ挿入口側に立ち上がって前記ハウジング側の他端部側から光コネクタ挿入口側に向けて送信される光を遮断する立ち上がり部とを備えた略Ｌ字形状のシャッター板と、
前記ハウジングの底部外壁に沿って設けられる底部板と該底部板からハウジングの両側部壁に沿って立ちあがる側部板とを備えた支持板を有し、
前記ハウジングの底部外壁には前記シャッター板の前記底板と前記支持板の前記底部板とを嵌合する底部溝が形成され、
前記ハウジングの前記両側壁外壁には前記支持板の前記側部板を嵌合する支持板嵌合溝が形成され、
前記シャッター板は弾性部材により形成され、
前記シャッター板の底板が前記底部溝内で前記ハウジングの底部外壁と前記支持板の底部板との間に挟まれ、かつ、前記支持板の前記側部板が前記ハウジングの両側部外壁を狭着するように前記支持板嵌合溝に嵌合固定されることにより前記シャッター板が前記ハウジングに固定されており、
前記光コネクタの光モジュールレセプタクルへの挿入嵌合時には前記シャッター板の立ち上がり部が光コネクタ挿入によって前記ハウジングの底部内壁側に折り曲げられて前記光の光コネクタへの入射を可能とし、かつ、前記光コネクタの光モジュールレセプタクルへの非嵌合時には前記シャッター板の立ち上がり部が弾性復元力によって前記光コネクタ挿入口側に立ちあがって前記光を遮断する構成としたこと
を特徴とする遮光シャッター付き光モジュールレセプタクル。
【請求項６】
光コネクタの挿入方向をガイドする挿入ガイド部を備えたガイド部材が、その先端側をハウジングの光コネクタ挿入口及び前記シャッター板よりも先方に突出してハウジングに装着されていることを特徴とする請求項５記載の遮光シャッター付き光モジュールレセプタクル。
【請求項７】
ハウジングの底部には該ハウジングの筒穴方向途中部にシャッター板挿通孔が形成されており、
シャッター板の立ち上がり部は前記シャッター板挿通孔からハウジングの筒穴内に立ち上がる構成と成しており、
光コネクタ挿入口から前記シャッター板挿通孔の形成部に至るハウジングの筒穴が光コネクタの挿入方向をガイドする挿入ガイド部と成していること
を特徴とする請求項５記載の遮光シャッター付き光モジュールレセプタクル。
【請求項８】
支持板の底部板に十字型の部分が形成され、該十字型の部分が前記底部溝に係止されていることを特徴とする請求項５乃至請求項７のいずれか一つに記載の遮光シャッター付き光モジュールレセプタクル。
【発明の詳細な説明】
【０００１】
【発明の属する技術分野】
本発明は、半導体レーザ等の光発信装置と光ファイバを光接続して行われる光通信用として用いられる遮光シャッター付きアダプタおよび遮光シャッター付きレセプタクルに関するものである。
【０００２】
【従来の技術】
半導体レーザ等の光発信装置から発信される発信光を光ファイバに接続し、光ファイバによって伝送することによる光通信が行われており、図１１には、光通信用として用いられるアダプタの一例として、光コネクタ嵌合用のアダプタが示されている。このアダプタは、光コネクタとしてのＳＣコネクタを嵌合するアダプタである。なお、同図の（ａ）には正面図が、同図の（ｂ）には（ａ）のＡ−Ａ’断面図が、同図の（ｃ）には（ａ）のＡ’−Ｂ線により一部切欠切断した状態をアダプタ底面側から見た図がそれぞれ示されている。
【０００３】
これらの図に示すアダプタは、その一端側が光コネクタの挿入口（光コネクタ挿入口）２と成した四角筒状の２つのハウジング１（１ａ，１ｂ）を、光コネクタ挿入口２と反対側の端部同士突き合わせて固定したものである。このアダプタは、各ハウジング１の光コネクタ挿入口２からハウジング１の筒穴方向に沿って、光コネクタを挿入する構成と成している。アダプタの両端側にはそれぞれ光コネクタが嵌合され、これらの光コネクタに設けられている光ファイバ同士が光接続される。
【０００４】
なお、各ハウジング１には、円筒形状のフェルール挿入筒２０と、先端側に係止爪１６を備えたコネクタ係止部１５が設けられており、光コネクタの先端側（接続端面側）がコネクタ係止部１５によって係止され、光コネクタに設けられたフェルールの端側がフェルール挿入筒２０に挿入される。
【０００５】
上記アダプタに挿入嵌合される光コネクタのうち、一方側の光コネクタ（例えばハウジング１ｂ側に挿入嵌合される光コネクタ）に設けられている光ファイバは、光発信装置の発信部側や光アンプの出力部側に接続される。この光コネクタは、光発信装置から発信される光や光アンプによって増幅された光を伝送し、この光を光コネクタ接続端面側から出力する。
【０００６】
この出力光は、図１１の（ｂ）、（ｃ）のＡに示すように、フェルール挿入筒２０を通って、他方側の光コネクタ（この場合、ハウジング１ａ側に挿入嵌合される光コネクタ）が挿入される光コネクタ挿入口２側に送信され、この送信光が他方側の光コネクタに入射される。
【０００７】
なお、同図の（ｃ）に示すように、ハウジング１の底部外壁１１には、アダプタを固定部に固定するための固定金具嵌合用の底部溝１０が形成されており、ハウジング１の両側部外壁には、底部溝１０に連通して、前記固定金具嵌合用の側部溝（図示せず）が形成されている。そして、ハウジング１の底部溝１０に沿って設けられる板とこの板からハウジング１の両側部壁に沿って立ちあがる板とを備えたコ字形状の固定金具が、前記底部溝１０と側部溝に嵌合され、この固定金具を用いてアダプタの固定部への固定が行われるようになっている。
【０００８】
また、上記ハウジング１と同様の構成のハウジングを１つ有し、このハウジングの光コネクタ挿入口と反対側にＬＤ（レーザダイオード）モジュール内蔵パッケージを設けた光モジュールレセプタクルも、上記アダプタと同様に、光通信用として用いられている。この種の光モジュールレセプタクルにおいては、上記ＬＤモジュール内蔵パッケージにＬＤを内蔵し、このＬＤから送信される光を上記ハウジングに嵌合される光コネクタの光ファイバに入射する構成と成している。
【０００９】
【発明が解決しようとする課題】
ところで、近年、光通信の高速化等に伴い、光通信用として用いられる半導体レーザや光アンプの光出力が高出力化してきており、例えば、前記光出力が１００ｍＷ〜１Ｗを越える場合もある。
【００１０】
そして、このような高出力の光が前記アダプタの一方側に嵌合されている光コネクタの接続端面側からアダプタの他方側に嵌合されている光コネクタ側に送信されているときに、光を受信する側の光コネクタが誤って外れてしまった場合には、光コネクタ側に送信される光が光コネクタ挿入口２からアダプタ外部に漏れてしまうといった問題があった。
【００１１】
また、前記光モジュールレセプタクルのハウジングに嵌合されている光コネクタが誤って外れてしまった場合も同様の問題があった。
【００１２】
そこで、上記問題を解決するために、例えば図１２に示すように、上記アダプタにおいて、光コネクタが外れたときに光コネクタ挿入口２側から漏れる光を遮光するカバー部品３０等を設けたアダプタが提案されている。なお、図中、２９は光送信部、３１はアダプタに嵌合する光コネクタを示している。
【００１３】
しかしながら、この提案においては、カバー部品３０の形状が複雑であり、したがって、アダプタの作製が容易でなく、歩留まりが悪かった。また、カバー部品３０は、前記光を遮光するための特殊な材料により形成しなければならないために、複雑な形状のカバー部品３０を特殊な材料により形成すると、アダプタのコストが高くなるといった問題もあった。
【００１４】
本発明は、上記従来の課題を解決するためになされたものであり、その目的は、光コネクタが外れた場合にも光コネクタ側に向けて送信された光の漏れを防止することができる、安価で作製が容易な遮光シャッター付きアダプタおよび遮光シャッター付き光モジュールレセプタクルを提供することにある。
【００１５】
【課題を解決するための手段】
上記目的を達成するために、本発明は次のような構成をもって課題を解決するための手段としている。すなわち、第１の発明の遮光シャッター付きアダプタは、筒状のハウジングを有し、該ハウジングの一端部は光コネクタをハウジングの筒穴方向に沿って挿入する光コネクタの挿入口と成しているアダプタであって、前記ハウジングの底部外壁に沿って設けられる底板と該底板から前記光コネクタ挿入口側に立ち上がって前記ハウジング側の他端部側から光コネクタ挿入口側に向けて送信される光を遮断する立ち上がり部とを備えた略Ｌ字形状のシャッター板と、前記ハウジングの底部外壁に沿って設けられる底部板と該底部板からハウジングの両側部壁に沿って立ちあがる側部板とを備えた支持板を有し、前記ハウジングの底部外壁には前記シャッター板の前記底板と前記支持板の前記底部板とを嵌合する底部溝が形成され、前記ハウジングの前記両側壁外壁には前記支持板の前記側部板を嵌合する支持板嵌合溝が形成され、前記シャッター板は弾性部材により形成され、前記シャッター板の底板が前記底部溝内で前記ハウジングの底部外壁と前記支持板の底部板との間に挟まれ、かつ、前記支持板の前記側部板が前記ハウジングの両側部外壁を狭着するように前記支持板嵌合溝に嵌合固定されることにより前記シャッター板が前記ハウジングに固定されており、前記光コネクタのアダプタへの挿入嵌合時には前記シャッター板の立ち上がり部が光コネクタ挿入によって前記ハウジングの底部内壁側に折り曲げられて前記光の光コネクタへの入射を可能とし、かつ、前記光コネクタのアダプタへの非嵌合時には前記シャッター板の立ち上がり部が弾性復元力によって前記光コネクタ挿入口側に立ちあがって前記光を遮断する構成をもって課題を解決する手段としている。
【００１７】
さらに、第２の発明の遮光シャッター付きアダプタは、上記第１の発明の構成に加え、光コネクタの挿入方向をガイドする挿入ガイド部を備えたガイド部材が、その先端側をハウジングの光コネクタ挿入口及び前記シャッター板よりも先方に突出してハウジングに装着されている構成をもって課題を解決する手段としている。
【００１８】
さらに、第３の発明の遮光シャッター付きアダプタは、上記第１の発明の構成に加え、ハウジングの底部には該ハウジングの筒穴方向途中部にシャッター板挿通孔が形成されており、シャッター板の立ち上がり部は前記シャッター板挿通孔からハウジングの筒穴内に立ち上がる構成と成しており、光コネクタ挿入口から前記シャッター板挿通孔の形成部に至るハウジングの筒穴が光コネクタの挿入方向をガイドする挿入ガイド部と成している構成をもって課題を解決する手段としている。
【００１９】
さらに、第４の発明の遮光シャッター付きアダプタは、上記第１乃至第３のいずれか一つの発明の構成に加え、支持板の底部板に十字型の部分が形成され、該十字型の部分が前記底部溝に係止されている構成をもって課題を解決する手段としている。
【００２０】
さらに、第５の発明の遮光シャッター付き光モジュールレセプタクルは、筒状のハウジングを有し、該ハウジングの一端部は光コネクタをハウジングの筒穴方向に沿って挿入する光コネクタの挿入口と成している光モジュールレセプタクルであって、前記ハウジングの底部外壁に沿って設けられる底板と該底板から前記光コネクタ挿入口側に立ち上がって前記ハウジング側の他端部側から光コネクタ挿入口側に向けて送信される光を遮断する立ち上がり部とを備えた略Ｌ字形状のシャッター板と、前記ハウジングの底部外壁に沿って設けられる底部板と該底部板からハウジングの両側部壁に沿って立ちあがる側部板とを備えた支持板を有し、前記ハウジングの底部外壁には前記シャッター板の前記底板と前記支持板の前記底部板とを嵌合する底部溝が形成され、前記ハウジングの前記両側壁外壁には前記支持板の前記側部板を嵌合する支持板嵌合溝が形成され、前記シャッター板は弾性部材により形成され、前記シャッター板の底板が前記底部溝内で前記ハウジングの底部外壁と前記支持板の底部板との間に挟まれ、かつ、前記支持板の前記側部板が前記ハウジングの両側部外壁を狭着するように前記支持板嵌合溝に嵌合固定されることにより前記シャッター板が前記ハウジングに固定されており、前記光コネクタの光モジュールレセプタクルへの挿入嵌合時には前記シャッター板の立ち上がり部が光コネクタ挿入によって前記ハウジングの底部内壁側に折り曲げられて前記光の光コネクタへの入射を可能とし、かつ、前記光コネクタの光モジュールレセプタクルへの非嵌合時には前記シャッター板の立ち上がり部が弾性復元力によって前記光コネクタ挿入口側に立ちあがって前記光を遮断する構成をもって課題を解決する手段としている。
【００２２】
さらに、第６の発明の遮光シャッター付き光モジュールレセプタクルは、上記第５の発明の構成に加え、光コネクタの挿入方向をガイドする挿入ガイド部を備えたガイド部材が、その先端側をハウジングの光コネクタ挿入口及び前記シャッター板よりも先方に突出してハウジングに装着されている構成をもって課題を解決する手段としている。
【００２３】
さらに、第７の発明の遮光シャッター付き光モジュールレセプタクルは、上記第５の発明の構成に加え、ハウジングの底部には該ハウジングの筒穴方向途中部にシャッター板挿通孔が形成されており、シャッター板の立ち上がり部は前記シャッター板挿通孔からハウジングの筒穴内に立ち上がる構成と成しており、光コネクタ挿入口から前記シャッター板挿通孔の形成部に至るハウジングの筒穴が光コネクタの挿入方向をガイドする挿入ガイド部と成している構成をもって課題を解決する手段としている。
【００２４】
さらに、第８の発明の遮光シャッター付き光モジュールレセプタクルは、上記第５乃至第７のいずれか一つの発明の構成に加え、支持板の底部板に十字型の部分が形成され、該十字型の部分が前記底部溝に係止されている構成をもって課題を解決する手段としている。
【００２５】
上記構成の本発明の遮光シャッター付きアダプタは、筒形状のハウジングと、該ハウジングの光コネクタ挿入口側に向けて送信される光を遮断する立ち上がり部を備えたシャッター板を有しており、光コネクタのアダプタへの挿入嵌合時には、前記シャッター板の立ち上がり部が光コネクタ挿入によって前記ハウジングの底部内壁側に折り曲げられて前記光の光コネクタへの入射を可能とし、かつ、前記光コネクタのアダプタへの非嵌合時には前記シャッター板の立ち上がり部が弾性復元力によって前記光コネクタ挿入口側に立ちあがって前記光を遮断するため、たとえ光通信中に誤って光コネクタが外れたとしても、光はシャッター板により遮断される。
【００２６】
また、同様に、上記構成の本発明の遮光シャッター付き光モジュールレセプタクルは、筒形状のハウジングと、該ハウジングの光コネクタ挿入口側に向けて送信される光を遮断する立ち上がり部を備えたシャッター板を有しており、光コネクタの光モジュールレセプタクルへの挿入嵌合時には、前記シャッター板の立ち上がり部が光コネクタ挿入によって前記ハウジングの底部内壁側に折り曲げられて前記光の光コネクタへの入射を可能とし、かつ、前記光コネクタの光モジュールレセプタクルへの非嵌合時には前記シャッター板の立ち上がり部が弾性復元力によって前記光コネクタ挿入口側に立ちあがって前記光を遮断するため、たとえ光通信中に誤って光コネクタが外れたとしても、光はシャッター板により遮断される。
【００２７】
また、本発明においては、シャッター板は、上記立ち上がり部とハウジングの底部外壁に沿って設けられる底板を備えた略Ｌ字形状の非常に簡単な形状の板であり、その作製は容易である。
【００２８】
そして、本発明は、前記シャッター板を、前記ハウジングの底部外壁に沿って設けられる底部板と該底部板からハウジングの両側部壁に沿って立ちあがる側部板とを備えた支持板とハウジングの底部外壁との間に挟んで固定することにより前記シャッター板を前記ハウジングに固定するものであるから、シャッター板や支持板の取り付けも容易であり、遮光シャッター付きのアダプタや光モジュールレセプタクルを容易に歩留まり良く作製できる。
【００２９】
さらに、シャッター板を略Ｌ字形状の板にして支持板により支持固定する構成とすることにより、遮光性が良好な特殊材料により形成する部位を小さくすることができるため、その分だけコストを低減でき、しかも、前記の如く、シャッター板の作製が容易であることからより一層コストを低減でき、安価なアダプタや安価な光モジュールレセプタクルとすることが可能となる。
【００３０】
【発明の実施の形態】
以下、本発明の実施の形態を図面に基づいて説明する。なお、本実施形態例の説明において、従来例と同一名称部分には同一符号を付し、その重複説明は省略する。図１の（ａ）には、本発明に係る遮光シャッター付きアダプタの第１実施形態例が分解状態で示されており、同図の（ｂ）には、上記アダプタの斜視図が示されている。
【００３１】
これらの図に示されるように、本実施形態例は、従来例とほぼ同様の構成のハウジング１を、光コネクタ挿入口２と反対側の端部同士突き合わせて形成されている。
【００３２】
本実施形態例が従来例と異なる特徴的なことは、図１（ａ）において手前側に示されているハウジング１（１ａ）の光コネクタ挿入口２側に向けて（すなわち、図の奥側から手前側に向けて）送信される光を遮光する構成を備えていることであり、この遮光構成は、図１（ａ）、（ｂ）において斜線に示すシャッター板３と支持板４とを有している。シャッター板３は、ハウジング１ａの光コネクタ挿入口２側に向けて送信される光を遮断する機能を有し、支持板４はシャッター板３を支持してハウジング１ａに固定する機能を有している。
【００３３】
上記シャッター板３の典型的な構成例の側面図と平面図が図３（ａ）、（ｂ）に示されており、支持板４の典型的な構成例の展開図と正面図が図４（ａ）、（ｂ）に示されており、図２の各図には、シャッター板３と支持板４とを固定した状態のハウジング１ａが示されている。図２の（ａ）には、ハウジング１ａの正面図が、同図の（ｂ）には（ａ）のＡ−Ａ’断面図が、同図の（ｃ）には（ａ）のＡ’−Ｂにより切欠切断した状態をハウジング１ａの底面側から見た図がそれぞれ示されており、図中、１４はハウジング１ａの側壁を示す。
【００３４】
シャッター板３は、図１および図３に示すように、ハウジング１ａの底部外壁１１に沿って設けられる底板６と、この底板６から前記光コネクタ挿入口２側に斜めに立ち上がる立ち上がり部７とを備え、略Ｌ字形状に形成されている。立ち上がり部７は光コネクタ挿入口２側に向けて送信される光を遮断するものであり、図３（ａ）に示すような折り曲げ部７ａ，７ｂ，７ｃを有している。また、本実施形態例において、シャッター板３の立ち上がり部７と反対側には、ハウジング１ａの筒穴方向での引っ張り力に抗するように、前記底板６から垂直に立ちあがる抜け止め部２３が形成されている。
【００３５】
シャッター板３は、弾性部材により形成されている。シャッター板３を形成する弾性部材として、例えばＰＰＳ（ポリフェニレンサルファイド）やシリコーンゴムなどの樹脂および、リン青銅、ＮｉＴｉ合金などの金属を適用することができる。シャッター板板を形成する弾性部材としては、光コネクタの挿抜がし易い適宜の弾性係数を有する材料を選定することが好ましい。
【００３６】
支持板４は、図１および図４に示すように、前記ハウジング１ａの底部外壁１１に沿って設けられる十字型の底部板８と該底部板８からハウジングの両側部壁に沿って立ちあがる側部板９とを備え、コ字形状に形成されている。支持板４は、例えばステンレス鋼などの適宜の金属により形成されている。
【００３７】
なお、本実施形態例において、図２の（ｃ）に示すように、ハウジング１ａの底部外壁１１側に形成されている底部溝１０は十字型である。この底部溝１０に連通して、ハウジング１ａの両側部外壁には、前記支持板４の側部板９を嵌合する支持板嵌合溝５（図１参照）が形成されている。また、ハウジング１ｂ側に形成された底部溝および側部溝２６は、従来例と同様に、アダプタを固定部に固定するための固定金具嵌合用の溝と成している。ハウジング１ａ，１ｂの上部壁の中央部には、光コネクタ挿入口２から挿入される光コネクタをガイドするガイド溝１３が形成されている。
【００３８】
本実施形態例では、まず、前記シャッター板３の底板６が前記ハウジング１ａの底部外壁１１に形成された底部溝１０に挿入され、抜け止め部２３がハウジング１ａの底部とハウジング１ｂの底部との当接部に形成された溝（図示せず）に挿入される。そして、前記底板６の外側に支持板４の底部板８が挿入され、それにより、シャッター板３の底板６がハウジング１ａの底部外壁１１と支持板４の底部板８との間に挟まれ、かつ、支持板４の側部板９がハウジング１ａの両側部外壁に形成された支持板嵌合溝５に嵌合固定されることにより、シャッター板３がハウジング１ａに固定されている。
【００３９】
なお、支持板４の底部板８の十字型が底部溝１０の十字型に位置合わせされる。また、支持板４の支持板嵌合溝５への嵌合は着脱自在と成しており、それにより、シャッター板３のハウジング１ａへの固定も着脱自在と成している。
【００４０】
本実施形態例において、光コネクタがハウジング１ａの光コネクタ挿入口２から挿入嵌合されると、この光コネクタの挿入によって、図２の（ｂ）に示すように、シャッター板３の立ち上がり部７が前記ハウジング１ａの底部内壁１２側に折り曲げられていき（同図のＡの位置からＢの位置へ折り曲がり、さらにＣの位置へ折り曲がっていき）、ハウジング１側から光コネクタ挿入口２側に向けて送信される光の光コネクタへの入射を可能とする。また、前記光コネクタのハウジング１ａへの非嵌合時には、シャッター板３の立ち上がり部が弾性復元力によって前記光コネクタ挿入口２側に立ちあがって（同図のＣの位置からＡの位置へ戻り）、前記光を遮断する構成と成している。
【００４１】
なお、シャッター板３には、前記の如く、抜け止め部２３が設けられており、この抜け止め部２３が抜け止め部２３挿入用の溝に挿入されているため、光コネクタをアダプタから外すときにシャッター板３がアダプタのハウジング１ａから外れることは防止される。
【００４２】
本実施形態例は以上のように構成されており、光コネクタのハウジング１ａへの非嵌合時には前記シャッター板３の立ち上がり部７が弾性復元力によってハウジング１ａの光コネクタ挿入口２側に立ちあがり、ハウジング１ａの光コネクタ挿入口２側に向けて送信される光を遮断するため、たとえ光通信中に誤って光コネクタが外れたとしても、前記光はシャッター板３により遮断される。
【００４３】
また、本実施形態例において、シャッター板３は、図１、３に示したように、立ち上がり部７と底板６とを備えた略Ｌ字形状の非常に簡単な形状の板であり、このシャッター板３を支持してハウジング１ａに固定する支持板４も、図１、４に示したように、底部板８と側部板９とを備えた簡単な形状の構成であり、これらを非常に容易に作製することができる。
【００４４】
さらに、本実施形態例では、上記シャッター板３を支持板４とハウジング１ａの底部外壁１１との間に挟み、支持板４の側部板９をハウジング１ａの側部外壁に設けた支持板嵌合溝５に嵌合固定するだけで、シャッター板３をハウジング１ａに固定して遮光シャッター付きアダプタを形成することができるために、本実施形態例のアダプタは、非常に作製が容易で、歩留まり良く作製できる。
【００４５】
特に、支持板嵌合溝５は、従来、アダプタを接続部に固定するための固定金具嵌合用の溝を用いているために、ハウジング１ａの両側部外壁に新たに溝を形成する必要もなく、アダプタ作製を非常に簡単なものとすることができる。
【００４６】
さらに、本実施形態例では、シャッター板３や支持板４を底部溝１０や支持板嵌合溝５に嵌合する構成としているため、シャッター板３や支持板４がハウジング１ａの外側にはみ出すことがなく、アダプタを従来通りの仕様で用いることができる。
【００４７】
さらに、本実施形態例では、シャッター板３を略Ｌ字形状の板にして支持板４で支持固定する構成としたので、遮光性が良好な特殊材料により形成するシャッター板３を小さくすることができるため、その分だけコストを低減でき、しかも、シャッター板３の作製が容易であることからより一層コストを低減でき、安価なアダプタとすることができる。
【００４８】
図５（ａ）、（ｂ）には、本発明に係るシャッター付きアダプタの第２実施形態例が分解状態で模式的に示されている。同図の（ａ）に示す構成は、ハウジング１の側部両側に鍔部２７を設けた以外は上記第１実施形態例と同様であり、本第２実施形態例が上記第１実施形態例と異なる特徴的なことは、同図の（ｂ）に示すような構成のガイド部材３３をハウジング１に装着し、ガイド部材３３の先端側をハウジング１の光コネクタ挿入口２よりも先方に突出させて（図７参照）設けたことである。
【００４９】
なお、図７は、本第２実施形態例の遮光シャッター付きアダプタに光コネクタ２２を挿入する動作状態を示したものであり、同図の（ａ）には図５の（ｂ）のＡ−Ａ断面によって切断したときの断面図が、図７の（ｂ）には図５の（ｂ）のＢ−Ｂ断面によって切断したときの断面図がそれぞれ示されている。
【００５０】
また、図６の（ａ）にはガイド部材３３の平面図が、同図の（ｂ）には図５の（ｂ）のＢ−Ｂ断面図が示されている。図６の（ｃ）には同図の（ｂ）のＡ方向から見た図が、同図の（ｄ）には同図の（ｂ）のＢ方向から見が図がそれぞれ示されており、同図の（ｅ）にはガイド部材３３の側面図が示されている。
【００５１】
これらの図に示すように、ガイド部材３３は、その先端側に、光コネクタの挿入方向をガイドする筒形状の挿入ガイド部４０を有している。また、ガイド部材３３の上板３４と底板３８は間隔を介しており、これら上板３４と底板３８に挟まれる態様で、ガイド部材３３の両側面側に係止部３７が設けられている。ガイド部材３３をハウジング１の光コネクタ挿入口２側から挿入すると、ガイド部材３３の係止部３７が、図７の（ｂ）に示すようにハウジング１の被係止部４２に係止される構成と成している。
【００５２】
また、ガイド部材３３には、ハウジング１の鍔部２７に対応する鍔部３５が両側部がわに形成されており、鍔部２７に形成された孔２８に対応させて鍔部３５には孔３６が形成されている。孔２８，３６に共通のピンを挿入することにより、ガイド部材３３はハウジング１に固定される。
【００５３】
本第２実施形態例は以上のように構成されており、本第２実施形態例も上記第１実施形態例と同様の効果を奏することができる。
【００５４】
また、本第２実施形態例は、ハウジング１にガイド部材３３を装着して形成されており、ガイド部材３３には光コネクタの挿入方向をガイドする挿入ガイド部４０が形成されているために、図７の（ａ）、（ｂ）に示すように、ハウジング１ａに光コネクタ２２を挿入すると、光コネクタ２２は挿入ガイド部４０に位置決めされた状態で、ハウジング１ａの筒穴方向に沿って挿入される。
【００５５】
すなわち、本実施形態例においては、光コネクタ２２がハウジング１ａの筒穴方向に対して斜めに挿入されることが防止されるために、挿入される光コネクタの先端側でシャッター板３の立ち上がり部７を前記ハウジング１ａの底部内壁１２側に的確に折り曲げていくことができ、光コネクタのハウジング１への挿入を非常に的確に行なうことができる。
【００５６】
なお、本発明は上記各実施形態例に限定されることはなく、様々な実施の態様を採り得る。例えば、上記各実施形態例では、シャッター板３の形状を図１、３に示すようにしたが、シャッター板３の形状は、例えば図１の鎖線部（抜け止め部２３）を有する図１０に示すような形状としてもよい。
【００５７】
すなわち、上記各実施形態例に適用したシャッター板３は、ハウジング１に抜け止め係止する抜け止め部２３を、立ち上がり部７と反対側において底板６から垂直に立ちあがる態様で設けたが、シャッター板３の底板６を図１の鎖線および図１０に示すように十字型にし、シャッター板３の底部６の両側に張り出した部分を抜け止め部２３としてハウジング１の底部外壁に設けられた底部溝１０に係止するようにしてもよい。
【００５８】
上記のように、シャッター板３の底板６を十字型に形成すると、ハウジング１や支持板４との接触面積を広くすることができ、例えばアダプタに嵌合した光コネクタを外すときに、シャッター板３がハウジング１から外れることを防止できる。
【００５９】
また、上記各実施形態例では、ハウジング１ａ側に支持板４を固定し、ハウジング１ｂ側にアダプタの固定部への固定用金具を固定する構成としたが、支持板４が前記固定用金具を兼ねる構成としてもよい。
【００６０】
さらに、上記実施形態例では、ハウジング１ａ，１ｂを固定して、各ハウジング１ａ，１ｂの光コネクタ挿入口２から挿入される光コネクタを嵌合するアダプタとしたが、本発明のアダプタは必ずしも２つのハウジング１ａ，１ｂを固定して形成するとは限らず、少なくとも１つのハウジング１を設け、ハウジング１の光コネクタ挿入口２から光コネクタを挿入嵌合するアダプタとし、光コネクタ挿入口２側に送信される光を光コネクタの非嵌合時に遮光できる構成とすればよい。
【００６１】
さらに、上記実施形態例では、光コネクタとしてＳＣコネクタを挿入嵌合するアダプタとしたが、本発明のアダプタは、ＭＰＯ光コネクタ等の他の光コネクタの挿入嵌合アダプタとしてもよく、挿入嵌合される光コネクタの形状に対応させて、例えばハウジング１の形状を円筒形状としてもよい。
【００６２】
さらに、例えば図８に示すように、ハウジング１の光コネクタ挿入口２と反対側にＬＤ（レーザダイオード）モジュール内蔵パッケージ１８を設けた光モジュールレセプタクルに本発明を適用し、例えば、上記各実施形態例と同様に、ハウジング１にシャッター板３と支持板４とを設けて遮光シャッター付き光モジュールレセプタクルとしてもよい。
【００６３】
なお、図８は、上記アダプタの第１実施形態例を光モジュールレセプタクルに適用した例が示されているが、上記アダプタの第２実施形態例のように、ハウジング１にガイド部材３３を装着した構成を光モジュールレセプタクルに適用することもできる。
【００６４】
さらに、図９に示すように、光モジュールレセプタクルにおいて、ハウジング１の底部には、該ハウジング１の筒穴方向途中部にシャッター板挿通孔２５を形成し、シャッター板３の立ち上がり部７を前記シャッター板挿通孔２５からハウジング１の筒穴内に立ち上がる構成としてもよい。この場合、光コネクタ挿入口２から前記シャッター板挿通孔２５の形成部に至るハウジング１の筒穴を、光コネクタの挿入方向をガイドする挿入ガイド部４０と成す。
【００６５】
この構成によれば、光コネクタを挿入ガイド部４０に位置決めした状態で、光コネクタがハウジング１の筒穴方向に対して斜めになったりすることなく的確に挿入できるようになり、ハウジング１にガイド部材３３を装着した構成と同様の効果を奏することができる。
【００６６】
なお、図９に示す光モジュールレセプタクルには、図１０に示したシャッター板３を適用しているが、その代わりに、図３に示したシャッター板３を適用してもよい。
【００６７】
また、図９に示す構成のハウジング１を、図１に示したようなアダプタに適用してもよく、この場合も上記と同様の効果を奏することができる。
【００６８】
【発明の効果】
本発明によれば、アダプタや光モジュールレセプタクルは、筒形状のハウジングと、該ハウジングの光コネクタ挿入口側に向けて送信される光を遮断する立ち上がり部を備えたシャッター板を有しており、光コネクタのアダプタへの非嵌合時には前記シャッター板の立ち上がり部が前記光を遮断するため、たとえ光通信中に誤って光コネクタが外れたとしても、光をシャッター板により遮断することができる。
【００６９】
また、本発明によれば、シャッター板は、上記立ち上がり部とハウジングの底部外壁に沿って設けられる底板を備えた略Ｌ字形状の非常に簡単な形状の板であり、このシャッター板を、前記ハウジングの底部外壁に沿って設けられる底部板と該底部板からハウジングの両側部壁に沿って立ちあがる側部板とを備えた支持板とハウジングの底部外壁との間に挟んで固定することにより前記シャッター板を前記ハウジングに固定するものであるから、シャッター板や支持板の作製および取り付けを容易に行なえるし、遮光シャッター付きアダプタや遮光シャッター付き光モジュールレセプタクルを容易に歩留まり良く作製できる。
【００７０】
また、本発明のアダプタや光モジュールレセプタクルにおいて、支持板の側部板をハウジングの側部外壁に設けた支持板嵌合溝に嵌合固定する構成においては、シャッター板の取り付けをより一層的確に行なうことができる。
【００７１】
さらに、本発明によれば、シャッター板を略Ｌ字形状の板にして支持板により支持固定する構成とすることにより、遮光性が良好な特殊材料により形成する部位を小さくすることができるため、その分だけコストを低減でき、しかも、シャッター板の作製が容易であることから、より一層コストを低減でき、安価なアダプタおよび光モジュールレセプタクルとすることができる。
【００７２】
例えば本発明において、シャッター板を高価なＮｉＴｉの超弾性部材を用いて構成し、押え部材をステンレス等で構成することができ、このようにすると、シャッター板と押え部材の両方の機能を有する部材を、高価で、かつ、加工しにくいＮｉＴｉの超弾性部材によって形成する場合に比べ、製造も容易にできるし、コストも安価にすることができる。
【００７３】
さらに、本発明のアダプタや光モジュールレセプタクルにおいて、光コネクタの挿入方向をガイドする挿入ガイド部を備えたガイド部材をハウジングに装着した構成や、ハウジングの底部にシャッター板挿通孔を形成して、シャッター板の立ち上がり部を前記シャッター板挿通孔からハウジングの筒穴側に立ち上げ、光コネクタ挿入口から前記シャッター板挿通孔の形成部に至るハウジングの筒穴を前記挿入ガイド部と成した構成によれば、挿入ガイド部によって、光コネクタのハウジングへの挿入を非常に的確にガイドできるので、光コネクタの挿入を的確にし、光コネクタによるシャッター板の折り曲げ動作も的確にできる。
【００７４】
さらに、本発明のアダプタや光モジュールレセプタクルにおいて、支持板の底部板に十字型の部分が形成されている構成においては、支持板をハウジングに対して確実に抜け止め状態とすることができる。
【図面の簡単な説明】
【図１】本発明に係る遮光シャッター付きアダプタの第１実施形態例を、分解図（ａ）、斜視図（ｂ）によりそれぞれ示す要部構成図である。
【図２】上記実施形態例のアダプタに設けられているハウジング１ａを、シャッター板３と支持板４の取り付け状態で示す正面図（ａ）、Ａ−Ａ’断面図（ｂ）、Ａ’−Ｂ線により切断した状態をアダプタ底面側から見た図（ｃ）である。
【図３】上記実施形態例に設けられているシャッター板の側面図（ａ）と平面図（ｂ）である。
【図４】上記実施形態例に設けられている支持板の展開図（ａ）と正面図（ｂ）である。
【図５】本発明に係る遮光シャッター付きアダプタの第２実施形態例を分解図により示す要部構成図である。
【図６】上記第２実施形態例に設けられているガイド部材の説明図である。
【図７】上記第２実施形態例のアダプタへの光コネクタ挿入動作を断面図により示す説明図である。
【図８】本発明に係る遮光シャッター付き光モジュールレセプタクルの一例を、分解図（ａ）、斜視図（ｂ）によりそれぞれ示す要部説明図である。
【図９】本発明に係る遮光シャッター付き光モジュールレセプタクルの別の例を、分解図（ａ）、断面図（ｂ）によりそれぞれ示す要部説明図である。
【図１０】本発明に係る遮光シャッター付きアダプタの他の実施形態例に設けられるシャッター板の平面図である。
【図１１】従来のアダプタの正面図（ａ）、Ａ−Ａ’断面図（ｂ）、Ａ’−Ｂ線により切断した状態をアダプタ底面側から見た図（ｃ）である。
【図１２】以前に提案されている遮光用カバー付きアダプタを嵌合するコネクタと共に示す斜視説明図である。
【符号の説明】
１  ハウジング
２  コネクタ挿入口
３  シャッター板
４  支持板
５  支持板嵌合溝
６  底板
７  立ち上がり部
８  底部板
９  側部板
１０  底部溝
１１  底部外壁
１２  底部内壁
１８  ＬＤモジュール内蔵パッケージ
【図１】
0003644884.tif 000002
【図２】
0003644884.tif 000003
【図３】
0003644884.tif 000004
【図４】
0003644884.tif 000005
【図５】
0003644884.tif 000006
【図６】
0003644884.tif 000007
【図７】
0003644884.tif 000008
【図８】
0003644884.tif 000009
【図９】
0003644884.tif 000010
【図１０】
0003644884.tif 000011
【図１１】
0003644884.tif 000012
【図１２】
0003644884.tif 000013